(57)【要約】【課題】優れた意匠を呈する壁面を簡易に施工することができる壁面の施工方法を提供する。【解決手段】下地材４１、４２に表面が鋼板製の第１板材１１からなる複数枚の金属サンドイッチパネル１０を平面状に固定し、垂直な被施工面を形成する。次いで、磁力を有しつつタイル２０の裏面に形成された凹部２０ａと係止可能な突起部３ａが形成された係止片１を用意し、被施工面のうちタイル２０を施す領域において、磁力によって係止片１を被施工面に磁着し、表面側から係止片１にタイル２０を係止する。この後、被施工面のうち塗り仕上げ材３０を施す領域において、被施工面に塗り仕上げ材３０を塗布する。【選択図】図１
2005248562.tif 000002
【特許請求の範囲】
【請求項１】
下地材に表面が磁性体製の板材からなる複数枚の板状建材を平面状に固定して垂直な被施工面を形成する第１工程と、
磁力を有しつつタイルの裏面に形成された凹部と係止可能な突起部が形成された係止片を用意し、前記被施工面のうち該タイルを施す領域において、該磁力によって該係止片を該被施工面に磁着し、表面側から該係止片に該タイルを係止する第２工程とを備えることを特徴とする壁面の施工方法。
【請求項２】
前記被施工面のうち塗り仕上げ材を施す領域において、該被施工面に前記係止片を磁着せず、該被施工面に該塗り仕上げ材を塗布する第３工程を備えることを特徴とする請求項１記載の壁面の施工方法。
【請求項３】
前記被施工面には前記係止片を位置決めするガイドが設けられていることを特徴とする請求項１又は２記載の壁面の施工方法。
【請求項４】
前記第２工程では、前記タイルの裏面を接着剤によって接着することを特徴とする請求項１乃至３のいずれか１項記載の壁面の施工方法。
【請求項５】
少なくとも前記係止片の上下に前記接着剤を設けることを特徴とする請求項４記載の壁面の施工方法。
【請求項６】
前記板状建材は、表面を構成する金属製の第１板材と、裏面を構成する金属製の第２板材と、該第１板材と該第２板材との間に一体に設けられた断熱材とを有する金属サンドイッチパネルであることを特徴とする請求項１乃至５のいずれか１項記載の壁面の施工方法。
【発明の詳細な説明】
【技術分野】
【０００１】
本発明は、外壁等の壁面の施工方法に関する。
【背景技術】
【０００２】
従来、一般的な外壁の施工方法として、下地材に複数枚の板状建材を平面状に固定して垂直な被施工面を形成し、この被施工面にタイルを施して外壁を施工する方法が知られている。例えば、特許文献３開示の施工方法では、下地材としての木材からなる支柱に板状建材としてのサイディングを平面状に固定し、垂直な被施工面を形成する。
【０００３】
そして、金属板からなる係止片を用意し、被施工面にこの係止片をビス等によって固定する。係止片には、タイルの裏面に形成された凹部と係止可能な突起部が形成されている。この後、係止片の表面とタイルの裏面との間に接着剤を設けながら、表面側から係止片の突起部にタイルの凹部を係止する。こうして、被施工面には係止片及び接着剤を介してタイルが施工され、これによって外壁が簡易に構成されることとなる。
【０００４】
【特許文献１】特開２００２−３４９０４４号公報
【発明の開示】
【発明が解決しようとする課題】
【０００５】
しかし、上記特許文献１開示の施工方法では、係止片をビス等によって固定しなければならず、タイルを施工した後の壁面が気に入らない場合、タイルを外すために係止片も被施工面から外さなければならない。このため、気に入った壁面を得ようとすると、施工作業が面倒になるとともに、一旦タイルを施工した被施工面を再利用することができず、施工コストが高騰化してしまう。
【０００６】
この点、特開平１０−１５９３０３号公報には、下地材に磁力を介してタイルを施す壁面の施工方法が開示されている。この施工方法では、まず下地材としての支持体にベースパネルを固定する。ベースパネルには、タイルの裏面に形成された凹部と係止可能なレール状の突起部が一体に形成されている。ベースパネルの突起部及びタイルの凹部の一方には永久磁石が設けられ、これらの他方には鉄板が設けられ得る。この後、表面側からベースパネルの突起部にタイルを係止する。この施工方法では、タイルを仮に施工した後の壁面が気に入らない場合、タイルをベースパネルから外し、他のタイルを係止することができる。気に入った壁面が得られるようであれば、ベースパネルとタイルとの間に接着剤を設けながら、タイルをベースパネルに固定することができる。このため、この施工方法では、簡易な施工作業の下、一旦タイルを仮に施工した被施工面を再利用することができて安価な施工コストを実現しつつ、嗜好性に富んだ壁面を施工できる。
【０００７】
しかしながら、この施工方法は、被施工面を形成するベースパネルがタイルを係止するための突起部を一体に有しており、被施工面の任意の領域にだけタイルを施工することができない。この場合、壁面の意匠性が未だ十分でない。
【０００８】
本発明は、上記従来の実情に鑑みてなされたものであって、簡易な施工作業と安価な施工コストとを実現しつつ、被施工面の任意の領域にだけタイルを施工することができることにより嗜好性に富みかつ優れた意匠の壁面を施工できる施工方法を提供することを解決すべき課題としている。
【課題を解決するための手段】
【０００９】
本発明の壁面の施工方法は、下地材に表面が磁性体製の板材からなる複数枚の板状建材を平面状に固定して垂直な被施工面を形成する第１工程と、
磁力を有しつつタイルの裏面に形成された凹部と係止可能な突起部が形成された係止片を用意し、前記被施工面のうち該タイルを施す領域において、該磁力によって該係止片を該被施工面に磁着し、表面側から該係止片に該タイルを係止する第２工程とを備えることを特徴とする。
【００１０】
本発明の施工方法では、第１工程において、下地材に複数枚の板状建材を平面状に固定して垂直な被施工面を形成する。板状建材は表面が磁性体製の板材からなることから、被施工面はその磁性体製の板材によって形成されることとなる。
【００１１】
次いで、第２工程において、係止片を用意する。係止片は、磁力を有しつつタイルの裏面に形成された凹部と係止可能な突起部が形成されたものである。そして、被施工面のうちタイルを施す領域において、この係止片を磁力によって被施工面に磁着する。この後、表面側からその係止片にタイルを係止する。
【００１２】
こうしてタイルを仮に施工した後の壁面が気に入らない場合、タイルを係止片から外し、他のタイルを係止することができる。また、被施工面と係止片とが別体であり、被施工面に係止片が磁着しているだけであるため、タイルの裏面に形成された凹部の位置に合わせて係止片の位置を変更することが可能であるとともに、被施工面から係止片を容易に外すことが可能である。また、係止片を自由に位置させることができるので、任意の大きさのタイルを施工することも可能である。このため、この施工方法では、簡易な施工作業の下、一旦タイルを仮に施工した被施工面を再利用することができて安価な施工コストを実現しつつ、嗜好性に富んだ壁面を施工できる。
【００１３】
また、この施工方法では、板状建材が形成する被施工面の任意の領域に係止片を磁着させることができるため、その係止片にタイルを係止することにより、被施工面の任意の領域にだけタイルを施工することができる。このため、得られる壁面が優れた意匠性を発揮する。
【００１４】
したがって、この施工方法では、簡易な施工作業と安価な施工コストとを実現しつつ、被施工面の任意の領域にだけタイルを施工することができることにより嗜好性に富みかつ優れた意匠の壁面を施工できる。
【００１５】
なお、特開平４−１７９７６５号公報には、下地材に磁力を介してボードを施す壁面の施工方法が開示されている。この施工方法では、まず下地材としての躯体に鉄等の磁性体製である帯状の板材を固定する。また、裏面にレール状の凹部をもつボード本体と、このボード本体の凹部に平行移動可能に設けられた永久磁石とを有するボードを用意し、永久磁石の磁力によってボード本体を板材に磁着する。こうして、板材には磁力を介してボードが施工され、これによって壁面が簡易に構成されることとなる。
【００１６】
しかしながら、この施工方法は、ボード本体に凹部が固定され、永久磁石がボード本体から離反できなくなっている。このため、ボード本体に替えてタイルを採用し、永久磁石を係止片とした場合、タイルを施す領域を予め定めてそこに係止片を磁着しておくことができず、比較的重いタイルと係止片とを同時に被施工面に磁着しながら位置決めをしなければならず、作業性に難点がある。これに対し、本発明の施工方法では、タイルを施す領域を予め定めてそこに係止片だけを磁着して位置決めをしておくことができ、比較的重いタイルはそうして位置決めされた係止片に係止するだけで施工でき、優れた作業性を発揮する。
【００１７】
また、上記特許文献１開示の施工方法では、被施工面にタイルのみを施しており、塗り仕上げ材との張り分けを行っていないことから、壁面の意匠性が未だ十分でない。同一の被施工面の一領域にタイルを施しつつ、他の領域には塗り仕上げ材を施すことにより、さらに優れた意匠を呈する壁面が望まれるのである。この点、特許文献１開示の施工方法では、係止片の突起部が高く表面側に突出していることから、塗り仕上げ材の表面が各突起部によって凹凸を有するものとなったり、その凹凸を隠蔽するために塗り仕上げ材を極めて厚く施す必要があったりし、意匠性と作業性との両立が困難となる。この不具合を解決するため、タイルを施す領域には係止片を設ける一方、塗り仕上げ材を施す領域には係止片を設けないようにすれば、作業性が十分でない。上記特開平１０−１５９３０３号公報開示の施工方法においても、突起部を表面に有するベースパネルによって被施工面が形成されることから、塗り仕上げ材によってその突起部を隠蔽し難く、優れた意匠を呈する壁面の実現が困難である。
【００１８】
これらに対し、本発明の施工方法では、被施工面のうち塗り仕上げ材を施す領域においては、被施工面に係止片を磁着せず、被施工面に塗り仕上げ材を塗布する第３工程を備えることができる。この場合、従来のような突起部を有する係止片が邪魔にならないことから、容易に塗り仕上げ材を薄くかつ平坦に塗布することができる。また、板状建材によって被施工面が形成されることから、塗り仕上げ材によって従来のベースパネルのような突起部を隠蔽する必要がなく、優れた意匠を呈する壁面を実現することができる。こうして、同一の被施工面の一領域にタイルを施しつつ、他の領域には塗り仕上げ材も施すことができる。また、タイルを施す領域と塗り仕上げ材を施す領域とが制限されず、得られる壁面は優れた意匠を呈することができる。
【００１９】
本発明の施工方法では、被施工面に係止片を位置決めするガイドが設けられていることが好ましい。これにより係止片を簡単に位置決めしながら被施工面に磁着することができるため、優れた作業性を実現することができる。ガイドとしては、水平、垂直等に描かれた線、突起、溝等を採用することができる。水平に設けられたガイドはタイルを横貼りする際に役立ち、垂直に設けられたガイドはタイルを縦貼りする際に役立つ。突起や溝は、係止片の磁着の邪魔にならず、塗り仕上げ材の表面に凹凸を生じ難いように、１．５ｍｍ以下の高さ又は深さであることが好ましい。発明者の試験結果によれば、この範囲内の高さ又は深さのガイドであれば、素人でも塗り仕上げ材をほぼ均一の厚さに塗布することができ、塗り仕上げ材によって隠蔽可能である。また、水平に形成された突起をガイドとすれば、塗布された塗り仕上げ材はそのガイドによって下方へのタレが制限されるため、塗り仕上げ材の面性状が平坦になりやすく、きれいな壁面を容易に施工できる。
【００２０】
第２工程では、タイルの裏面を接着剤によって接着することが好ましい。この場合、タイルは係止片による仮固定とともに接着剤によっても固定されることとなり、タイルが被施工面から離反し難くなる。これにより、壁面の耐久性が向上する。
【００２１】
タイルの裏面を接着剤によって接着する場合、少なくとも係止片の上下に接着剤を設けることができる。この場合、タイルが被施工面に直接貼られることとなり、施工後の時間の経過によって係止片の磁力が低下したとしても、タイルが被施工面から離反し難くなる。これにより、壁面の耐久性が向上する。
【００２２】
板状建材としては、金属製の一枚の板材からなるものの他、表面を構成する金属製の第１板材と、裏面を構成する金属製の第２板材と、第１板材と第２板材との間に一体に設けられた断熱材とを有する金属サンドイッチパネル等を採用し得る。金属サンドイッチパネルを用いれば、外断熱が可能な壁面を容易に施工することができる。
【発明を実施するための最良の形態】
【００２３】
以下、本発明を具体化した実施例１、２を図面を参照しつつ説明する。
【実施例１】
【００２４】
まず、図１に示す板状建材としての金属サンドイッチパネル１０を複数枚用意する。これらの金属サンドイッチパネル１０は、表面を構成する平坦な鋼板製の第１板材１１と、裏面を構成する平坦な鋼板製の第２板材１２と、第１板材１１と第２板材１２との間に一体に設けられた発泡ポリウレタンフォームからなる断熱材１３とを有している。
【００２５】
第１板材１１には、図２及び図３に示すように、高さｔが１．５ｍｍ以下の突起からなるガイド１１ａが複数条形成されている。各ガイド１１ａは、図１に示すように、水平方向に延びている。
【００２６】
図４に示すように、金属サンドイッチパネル１０の上端には挿入部１０ａが形成され、その下端には挿入部１０ａに挿入され得る被挿入部１０ｂが形成されている。挿入部１０ａは、第１、２板材１１、１２の上端が断熱材１３側に直角に屈曲された後で上方に延び、さらに折り返されて下方に屈曲されたものである。挿入部１０ａの先端面にはゴムパッキン１０ｃが設けられている。被挿入部１０ｂは、第１、２板材１１、１２の下端が断熱材１３側に折り返されて上方に屈曲され、さらに直角に屈曲された後で上方に屈曲されたものである。被挿入部１０ｂの内面上端にもゴムパッキン１０ｄが設けられている。
【００２７】
この金属サンドイッチパネル１０を用いてタイル２０及び塗り仕上げ材３０からなる壁面を施工する場合、まず、図１に示すように、下地材としての木材からなる支柱４１、４２に透湿防水シート４３を介して図示しないビスにより複数枚の金属サンドイッチパネル１０を平面状に固定し、金属サンドイッチパネル１０の表面からなる垂直な被施工面を形成する。金属サンドイッチパネル１０の第１板材１１は鋼板製であることから、被施工面はその第１板材１１によって形成されることとなる。この際、図４にも示すように、下段から上段へと金属サンドイッチパネル１０を順次積み上げ、下段の金属サンドイッチパネル１０の挿入部１０ａが上段の金属サンドイッチパネル１０の被挿入部１０ｂに挿入するようにする。
【００２８】
そして、図２に示すように、複数枚の係止片１を用意する。各係止片１は、板状の永久磁石２と、この永久磁石２の表面側で一体をなし、上方に突出する突起部３ａを有する保持部３とからなる。そして、被施工面のうちタイル２０を施す領域において、各係止片１を永久磁石２の磁力によって被施工面に磁着する。この際、金属サンドイッチパネル１０の第１板材１１に形成された各ガイド１１ａの上部に沿って各係止片１を磁着することにより、各係止片１を簡単に位置決めすることができる。
【００２９】
この後、表面側からその係止片１にタイル２０を係止し、仮に横貼りする。タイル２０の裏面には係止片１を収納可能な凹部２０ａが凹設されており、凹部２０ａの上面は係止片１の突起部３ａと整合するようになっている。このため、表面側から係止片１にタイル２０を容易に係止することができる。こうしてタイル２０を仮に施工した後の外壁が気に入らない場合、タイル２０を係止片１から外し、他のタイル２０を係止することができる。また、被施工面と係止片１とが別体であり、被施工面に係止片１が磁着しているだけであるため、タイル２０の裏面に形成された凹部２０ａの位置に合わせて係止片１の位置を変更することが可能であるとともに、被施工面から係止片１を容易に外すことも可能である。また、係止片１を自由に位置させることができるので、任意の大きさのタイル２０を施工することも可能である。
【００３０】
こうして、この施工方法では、簡易な施工作業の下、一旦タイル２０を仮に施工した被施工面を再利用することができて安価な施工コストを実現することができる。
【００３１】
また、この施工方法では、金属サンドイッチパネル１０が形成する被施工面の任意の領域に係止片１を磁着させることができるため、その係止片１にタイル２０を係止することにより、被施工面の任意の領域にだけタイル２０を施工することができる。このため、得られる壁面が優れた意匠性を発揮する。
【００３２】
気に入った壁面が得られるようであれば、図３に示すように、係止片１を除いた被施工面全体に塗り仕上げ材３０を塗布する。この塗り仕上げ材３０は主成分が変性シリコーン又はウレタンの接着剤からなるものである。これらは一液タイプのものであっても、二液タイプのものであってもよい。また、塗り仕上げ材３０には、繊維が混入されていてもよい。塗り仕上げ材３０に繊維が混入されていると、塗り仕上げ材３０としての意匠性を高めることができるとともに、以下に述べるように塗り仕上げ材３０をタイル２０の被施工面への接着剤として用いた場合、繊維がアンカーの役目を果たすことにより接着力を増すことができる。繊維としては、ナイロン、ビニロン、ポリエステル等を選ぶことができる。
【００３３】
この際、図３及び図４に示すように、まずは各ガイド１１ａと同一厚さまで塗り仕上げ材３０を塗布する。この間、各ガイド１１ａが１．５ｍｍ以下の高さで突出しているに過ぎないことから、素人でも塗り仕上げ材３０をほぼ均一の厚さに塗布することができ、塗り仕上げ材３０によって隠蔽可能である。また、塗布された塗り仕上げ材３０は各ガイド１１ａによって下方へのタレが制限される。このため、塗り仕上げ材３０の面性状が平坦になる。
【００３４】
この後、被施工面の下方の領域にはタイル２０を固定する。この際、タイル２０を施す領域を予め定めてそこに係止片１だけを磁着して位置決めをしており、比較的重いタイル２０はそうして位置決めされた係止片１に係止するだけで施工でき、優れた作業性を発揮する。また、塗り仕上げ材３０が接着成分を含んでいることから、各タイル２０は塗り仕上げ材３０によって被施工面と直接接着される。また、各ガイド１１ａが水平方向に延び、各ガイド１１ａに係止片１を磁着しているため、タイル２０の水平出しは不要であり、施工がより簡易になっている。これにより、各係止片１は各タイル２０の凹部２０ａ内に収容される。そして、タイル２０は係止片１による仮固定とともに塗り仕上げ材３０によっても固定されることとなり、タイル２０が被施工面から離反し難くなる。特に、各係止片１の上下に塗り仕上げ材３０を設けているため、タイル２０が被施工面に直接貼られることとなり、施工後の時間の経過によって係止片１の磁力が低下したとしても、タイル２０が被施工面から離反し難くなる。これにより、壁面の耐久性が向上する。
【００３５】
特に、塗り仕上げ材３０は主成分が変性シリコーン又はウレタンの接着剤であることから、塗り仕上げ材３０が弾性を有するとともに、高い耐水性及び耐候性を発揮する。弾性を有する塗り仕上げ材３０は、地震等で被施工面が変形したとしても、それを吸収することができる。特に、下地材である金属サンドイッチパネル１０の板間にこの種の塗り仕上げ材３０を用いた場合には（図１のハッチング参照）、ひび割れ、剥離を起こし難くなる。また、一液タイプの塗り仕上げ材３０は施工が楽であるというメリットも発揮する。
【００３６】
また、被施工面の上方の領域には、係止片１を被施工面に磁着することなく、さらに塗り仕上げ材３０を厚く施工する。この際、突起部３ａを有する係止片１が邪魔にならないことから、容易に塗り仕上げ材３０を薄くかつ平坦に塗布することができる。
【００３７】
したがって、この施工方法では、簡易な施工作業と安価な施工コストとを実現しつつ、被施工面の任意の領域にだけタイル２０を施工し、残りの領域に塗り仕上げ材３０を施工することができるため、嗜好性に富みかつ優れた意匠の壁面を施工できる。
【００３８】
特に、この施工方法では、断熱材１３を有する金属サンドイッチパネル１０を用いていることから、得られた外壁が優れた外断熱効果を発揮することができる。
【実施例２】
【００３９】
実施例２では、図５に示す係止片４を採用している。各係止片４の永久磁石５には、金属サンドイッチパネル１０の第１板材１１に形成されたガイド１１ａと整合する凹部５ａが凹設されている。他の構成は実施例１と同様である。
【００４０】
この係止片４を用いてタイル２０及び塗り仕上げ材３０からなる壁面を施工する場合、係止片４がよりずれ難く、より優れた意匠の外壁を施工することができる。他の作用効果は実施例１と同様である。
【００４１】
なお、上記実施例１、２では、永久磁石２と保持部３とにより係止片１を構成したが、突起部を形成した永久磁石によって係止片を構成することもできる。
【産業上の利用可能性】
【００４２】
本発明は外壁の施工方法に利用可能である。
【図面の簡単な説明】
【００４３】
【図１】実施例１に係り、外壁の一部破断斜視図である。
【図２】実施例１に係り、施工途中の外壁の部分拡大断面図である。
【図３】実施例１に係り、施工途中の外壁の部分拡大断面図である。
【図４】実施例１に係り、外壁の断面図である。
【図５】実施例２に係り、外壁の部分拡大断面図である。
【符号の説明】
【００４４】
４１、４２…下地材
１０、６０…板状建材（金属サンドイッチパネル）
２０…タイル
２０ａ…凹部
１…係止片
３ａ…突起部
３０…塗り仕上げ材、接着剤
１１ａ…ガイド
１１…第１板材
１２…第２板材
１３…断熱材
【図１】
2005248562.tif 000003
【図２】
2005248562.tif 000004
【図３】
2005248562.tif 000005
【図４】
2005248562.tif 000006
【図５】
2005248562.tif 000007